(57)【要約】【課題】錆び、接着剤等で枠側に強固に固着したマンホール蓋を容易に開けることができるマンホール蓋の開け具を得る。【解決手段】ホルダ（１１）の下部にマンホール蓋（３０）の蓋孔（３１）と係合する係合部（２０）を設け、前記ホルダ（１１）に把手（２８）を有するショックハンマー（２５）を上下摺動可能に設け、前記ホルダ（１１）に前記ショックハンマー（２５）が所定量上方に移動した際に、該ショックハンマー（２５）と衝突する受圧体（１４）を設ける。【選択図】        図１
2004263473.tif 000002
【特許請求の範囲】
【請求項１】
ホルダ（１１）の下部にマンホール蓋（３０）の蓋孔（３１）と係合する係合部（２０）を設け、前記ホルダ（１１）に把手（２８）を有するショックハンマー（２５）を上下摺動可能に設け、前記ホルダ（１１）に前記ショックハンマー（２５）が所定量上方に移動した際に、該ショックハンマー（２５）と衝突する受圧体（１４）を設けたことを特徴とするマンホール蓋の開け具。
【請求項２】
ホルダ（１１）の下部に該ホルダ（１１）をマンホール蓋（３０）に対して垂直に起立させる脚部（１２）を設けたことを特徴とする請求項１記載のマンホール蓋の開け具。
【発明の詳細な説明】
【０００１】
【発明の属する技術分野】
本発明は、マンホール蓋の開け具に関し、特に錆び、接着剤等で枠側に強固に固着したマンホール蓋を容易に開けることができるマンホール蓋の開け具に関するものである。
【０００２】
【従来の技術】
従来の技術として、図５に示すものがあった。図５において、１は作動軸であり、下部に係合部２を、上部にナット部３を一体に有する。上記係合部２はマンホール蓋４の蓋孔４ａに嵌合係止させ、上記ナット部３は支持部材５に回転不能かつ上下摺動可能に嵌合させる。上記支持部材５の上部に支持座６を回転不能に嵌合させる。そして、ボルト７の上部にスリーブ８を嵌合させ、該ボルト７の下部を上記支持座６の中心部に上方から挿通するとともに、その下端部のねじ部７ａを上記ナット部３に螺合させる。この状態で上記ボルト７の頭部７ｂにスパナ等の工具を係合させて該ボルト７をねじ込み方向に回転させることにより、作動軸１、従って係合部２を上方に移動させてマンホール蓋４を引き上げてこれを開くようにしたものがあった（例えば、特許文献１参照）。
【０００３】
【特許文献１】
特許第２８１７８１３号公報（図３）
【０００４】
【発明が解決しようとする課題】
上記従来のものは、作動軸１、支持部材５、支持座６、ボルト７、スリーブ８等、多数の部品を組み立てたり、ボルト７をスパナ等の工具で回転させたりしていたため、蓋開け作業に手数を要するものであった。本発明は、ショックハンマーを使用することにより、上記不具合を解消した新規なマンホール蓋の開け具を得ることを目的とする。
【０００５】
【課題を解決するための手段】
本発明は、上記目的を達成するために以下の如く構成したものである。即ち、請求項１に係る発明は、ホルダの下部にマンホール蓋の蓋孔と係合する係合部を設け、前記ホルダに把手を有するショックハンマーを上下摺動可能に設け、前記ホルダに前記ショックハンマーが所定量上方に移動した際に、該ショックハンマーと衝突する受圧体を設ける構成にしたものである。
請求項２に係る発明は、前記ホルダの下部に該ホルダをマンホール蓋に対して垂直に起立させる脚部を設けるようにしたものである。
【０００６】
【発明の実施の形態】
以下本発明の実施の形態を図面に基いて説明する。図面において、図１は本発明の第１実施例を示す一部断面側面図、図２は図１のＩＩ−ＩＩ拡大断面図、図３は本発明によるショックハンマーの作動状態を示す一部断面側面図、図４は本発明の第２実施例を示す一部断面側面図である。
【０００７】
図１において、１０は金属製の開け具であり、係合部２０を有するホルダ１１にショックハンマー２５を取り付けてなる。上記ホルダ１１は、円板状の下板（脚部）１２の外周部に４本の連結ロッド１３を起立固定し、該連結ロッド１３の上端部に円板状の上板（受圧体）１４を固定し、これにより立体枠状に形成する。本例では上記ホルダ１１の高さは４５０ｍｍ〜６００ｍｍの範囲とし、脚部１２の直径は約２００ｍｍとする。なお、これらの寸法はマンホール蓋３０の大きさ、あるいは作業者の身長等によって適宜設定する。また、上記各連結ロッド１３はその下端部を脚部１２にねじ込んで起立固定し、上記受圧体１４はボルト１５により各連結ロッド１３の上端部に固定する。なお、これらは溶接により固定するようにしてもよい。
【０００８】
上記脚部１２の下部に係合部２０を固定する。即ち、上記脚部１２の下面中心部に懸垂軸２１を下方に向けて突出固定し、該懸垂軸２１の下部に板状の係合片２２を直交方向に嵌合させて固定するとともにその左右端部を上記懸垂軸２１の左右面から左右方向に所定量突出させてなる。この係合片２２は、マンホール蓋３０の蓋孔３１に嵌合させた後、上下軸心を中心として約９０度回転させると、図１に示すように、係合片２２の左右端部がマンホール蓋３０の下面と係合できるようになっている。なお、上記係合部２０は、脚部１２に着脱可能に取付けて、該係合部２０が磨耗あるいは損傷した際に新規なものと交換できるようにしてもよい。
【０００９】
上記ホルダ１１にショックハンマー２５を取り付ける。即ち、上記受圧体１４の上面中心部に厚肉円板状のガイド１６を固定し、該ガイド１６及び受圧体１４の中心部に摺動ロッド２６を上下摺動可能に貫通させ、該摺動ロッド２６の下端部に短尺な円柱状のハンマー主体２７を固定する。本例では上記ハンマー主体２７の重量は１２．３ｋｇ〜１８．４ｋｇの範囲とし、これはマンホール蓋３０の大きさ、あるいは作業者の体力等によって適宜設定する。上記摺動ロッド２６の上部はガイド１６から上方に突出させ、この部に補助ロッド２６ａを介して把手２８を連結する。上記補助ロッド２６ａは摺動ロッド２６の上端に着脱可能にねじ連結（ア）し、該補助ロッド２６ａの長さを変更することにより、把手２８の初期高さを作業者の身長に合わせて変更できるようにする。
【００１０】
次に上記実施例の使用態様について説明する。まず、図１に示すように、係合部２０をマンホール蓋３０の蓋孔３１に挿通した後、これを上下軸心を中心として約９０℃回転させ、その係合片２２を上記マンホール蓋３０の下面に係合させる。このとき、ホルダ１１の脚部１２の下面がマンホール蓋３０の上面に広い面で当接し、開け具１０は安定した状態で上記マンホール蓋３０の上面に起立支持されることになる。なお、上記脚部１２はホルダ１１の下部外周部に複数本の柱状の脚を取り付けて形成するようにしてもよい。
【００１１】
この状態で図３に示すように、片手、又は両手で把手２８を持ってショックハンマー２５を強く上方に引き上げる。さすれば、補助ロッド２６ａ、摺動ロッド２６を介してハンマー主体２７が上方に移動してその上面がホルダ１１の受圧体１４の下面に衝突し、上記ハンマー主体２７の慣性力により開け具１０全体が上方に移動され、上記係合片２２を介してマンホール蓋３０を衝撃的に上方に引き上げることになる。このため、錆び、あるいは接着剤等により、上記マンホール蓋３０が枠（マンホール蓋の嵌合枠）３２に強固に嵌合していたとしても、該マンホール蓋３０を枠３２から容易に離脱させ、これを容易に開くことができる。なお、１回の動作で上記マンホール蓋３０が開かない場合は、上記動作を複数回行なう。
【００１２】
図４は第２実施例を示す。図４において、４０は開け具であり、係合部４２を有するホルダ４１にショックハンマー５０を取り付けてなる。上記ホルダ４１は金属棒からなり、上下中間部で上下分割可能にねじ連結（ア）され、下部ホルダ４１ａの下端部に係合片４３を取り付け、該係合片４３とホルダ４１の下端部とにより前述と同様の係合部４２を形成する。また、上部ホルダ４１ｂの上端部に枠状のハンドル４６を取り付ける。
【００１３】
上記ホルダ４１の上下中間部に止めピン４４と円板状の受圧体４５とを上下に所定の間隔をおいて取り付け、該止めピン４４と受圧体４５との間に位置するホルダ４１にショックハンマー５０を上下動可能に取り付ける。このショックハンマー５０は、中心部に通し孔（符号省略）を有する短尺な円柱状のハンマー主体５１を上記止めピン４４と受圧体４５との間に位置するホルダ４１に上下摺動可能に挿通し、該ハンマー主体５１の両側に一対の棒状の把手５２を水平方向に向けて突出固定してなる。上記ハンマー主体５１の重量は前述と同様に１２．３ｋｇ〜１８．４ｋｇの範囲とする。
【００１４】
上記第２実施例の使用態様について説明する。まず、係合片４３を前述と同様にしてマンホール蓋３０の下面に係合させ、一方の手（左手）でハンドル４６を持ってホルダ４１を垂直に起立支持する。次いで他方の手（右手）でショックハンマー５０の一方の把手５２を持って該ショックハンマー５０を上方に引き上げる。さすれば、ハンマー主体５１が上方に移動してその上面がホルダ４１の受圧体４５の下面に衝突し、該ハンマー主体５１の慣性力により開け具４０全体が上方に移動され、上記係合片４３を介してマンホール蓋３０を衝撃的に上方に引き上げることになる。
【００１５】
なお、上記ハンドル４６を省略し、替わりにホルダ４１の下部に前述と同様の脚部を取り付け、該脚部でホルダ４１を起立支持するようにしてもよい。このようにすれば、双方の手で左右の把手５２，５２を持ってショックハンマー５０を上方に向けて強く引き上げることができる。
【００１６】
【発明の効果】
以上の説明から明らかな如く、本発明は、マンホール蓋の蓋孔と係合する係合部を有するホルダにショックハンマーを上下動可能に設け、このショックハンマーを上方に移動させて、ホルダの受圧体に衝突させ、該ショックハンマーの慣性力でマンホール蓋を開けるようにしたので、錆び、接着剤等で枠側に強固に固着されたマンホール蓋を容易に開けることができる。
また、上記ホルダの下部に該ホルダをマンホール蓋に対して垂直に起立させる脚部を設けるようにしたので、係合部をマンホール蓋の蓋孔に安定した状態で係合させることができるとともに、ショックハンマーの上方への移動操作が容易となる。
【図面の簡単な説明】
【図１】本発明の第１実施例を示す一部断面側面図である。
【図２】図１のＩＩ−ＩＩ拡大断面図である。
【図３】本発明によるショックハンマーの作動状態を示す一部断面側面図である。
【図４】本発明の第２実施例を示す一部断面側面図である。
【図５】従来例を示す要部断面側面図である。
【符号の説明】
１０    開け具
１１    ホルダ
１２    脚部
１３    連結ロッド
１４    受圧体（上板）
１５    ボルト
１６    ガイド
２０    係合部
２１    懸垂軸
２２    係合片
２５    ショックハンマー
２６    摺動ロッド
２６ａ  補助ロッド
２７    ハンマー主体
２８    把手
３０    マンホール蓋
３１    蓋孔
３２    枠（マンホール蓋の嵌合枠）
４０    開け具
４１    ホルダ
４１ａ  下部ホルダ
４１ｂ  上部ホルダ
４２    係合部
４３    係合片
４４    止めピン
４５    受圧体
４６    ハンドル部
５０    ショックハンマー
５１    ハンマー主体
５２    把手
【図１】
2004263473.tif 000003
【図２】
2004263473.tif 000004
【図３】
2004263473.tif 000005
【図４】
2004263473.tif 000006
【図５】
2004263473.tif 000007